(57)【要約】【課題】サブフィールド駆動において表示の均一性の程度を高める。【解決手段】液晶素子ＣＬを具備する画素Ｐｘと画素Ｐｘが表示すべき階調を指定する映像信号Ｄinに基づいて画素Ｐｘのオンオフを指定するデータ信号ＶＤを生成し時間軸上に交互に配列された表示期間Ｔとリセット期間Ｒのうち表示期間Ｔを複数のサブフィールド期間ＳＦに区分してサブフィールド期間ＳＦの各々においてデータ信号ＶＤを画素Ｐｘに供給する表示制御部１００とを備え、表示制御部１００は映像信号Ｄinが画素Ｐｘが一の表示期間Ｔにおいて表示すべき階調としてどのような階調を指定する場合であっても一の表示期間Ｔに後続する一のリセット期間Ｒの終了時において液晶素子ＣＬの透過率が液晶素子ＣＬの取り得る最小の透過率よりも大きい第１の値Ｂmin以上の値となるように一の表示期間Ｔにおいて画素Ｐｘに供給するデータ信号ＶＤを生成することを特徴とする電気光学装置１。【選択図】図１
2015004909.tif 000002
【特許請求の範囲】
【請求項１】
液晶素子を具備する画素と、
前記画素が表示すべき階調を指定する映像信号が供給されると、当該映像信号に基づいて、前記画素のオンまたはオフを指定するデータ信号を生成するとともに、
時間軸上に交互に配列された表示期間とリセット期間のうち、前記表示期間を、複数のサブフィールド期間に区分して、前記複数のサブフィールド期間の各々において、前記データ信号を、前記画素に供給する表示制御部と、
を備え、
前記表示制御部は、
前記映像信号が、前記画素が一の表示期間において表示すべき階調として、どのような階調を指定する場合であっても、
前記一の表示期間に後続する一のリセット期間の終了時において、前記液晶素子の透過率が、前記液晶素子の取り得る最小の透過率よりも大きい第１の値以上の値となるように、前記一の表示期間において前記画素に供給するデータ信号を生成する、
ことを特徴とする電気光学装置。
【請求項２】
前記表示制御部は、
前記映像信号が、前記画素が一の表示期間において表示すべき階調として、どのような階調を指定する場合であっても、
前記一の表示期間の終了時において、前記液晶素子の透過率が、前記液晶素子の取り得る最大の透過率よりも小さい第２の値以下の値となるように、前記一の表示期間において前記画素に供給するデータ信号を生成する、
ことを特徴とする、請求項１に記載の電気光学装置。
【請求項３】
前記画素をオンしたときの当該画素が具備する前記液晶素子の透過率は、
前記画素をオフしたとき透過率よりも大きく、
前記表示制御部は、
前記映像信号が、前記画素が前記表示期間において表示すべき階調として、最小階調を指定する場合、
前記表示期間に含まれる前記複数のサブフィールド期間のうち、少なくとも一のサブフィールド期間において、前記画素のオンを指定する前記データ信号を前記画素に供給する、
ことを特徴とする、請求項１または２に記載の電気光学装置。
【請求項４】
前記表示制御部は、
前記映像信号が、前記画素が前記表示期間において表示すべき階調として、最大階調を指定する場合、
前記表示期間に含まれる前記複数のサブフィールド期間のうち、少なくとも一のサブフィールド期間において、前記画素のオフを指定する前記データ信号を前記画素に供給する、
ことを特徴とする、請求項３に記載の電気光学装置。
【請求項５】
前記表示制御部は、
前記映像信号が指定する階調と、前記映像信号が指定する階調を前記画素に表示させるために前記表示期間に含まれる前記複数のサブフィールド期間のそれぞれについて前記画素のオンまたはオフを指定するデータであるサブフィールドコードと、を対応付けて記憶する記憶部と、
前記映像信号に基づいて、前記記憶部から前記サブフィールドコードを選択する選択部と、
前記選択部が選択したサブフィールドコードに基づいて、前記データ信号を生成可能な生成部と、
を備え、
前記生成部は、
前記選択部が選択したサブフィールドコードが、前記複数のサブフィールド期間の全てにおいて、前記画素のオフを指定するデータである場合、
前記選択部が選択したサブフィールドコードを、前記複数のサブフィールド期間のうち少なくとも一のサブフィールド期間において前記画素のオンを指定するように補正し、当該補正後のサブフィールドコードに基づいて、前記データ信号を生成する、
ことを特徴とする、請求項１乃至４のうち何れか１項に記載の電気光学装置。
【請求項６】
前記生成部は、
前記選択部が選択したサブフィールドコードが、前記複数のサブフィールド期間の全てにおいて、前記画素のオンを指定するデータである場合、
前記選択部が選択したサブフィールドコードを、前記複数のサブフィールド期間のうち少なくとも一のサブフィールド期間において前記画素のオフを指定するように補正し、当該補正後のサブフィールドコードに基づいて、前記データ信号を生成する、
ことを特徴とする、請求項５に記載の電気光学装置。
【請求項７】
前記一のサブフィールド期間は、
前記表示期間に含まれる前記複数のサブフィールド期間のうち、最後のサブフィールド期間である、
ことを特徴とする、請求項３乃至６のうち何れか１項に記載の電気光学装置。
【請求項８】
液晶素子を具備する画素と、
前記画素が表示すべき階調を指定する映像信号が供給されると、当該映像信号に基づいて、前記画素のオンまたはオフを指定するデータ信号を生成するとともに、
時間軸上に交互に配列された表示期間とリセット期間のうち、前記表示期間を、複数のサブフィールド期間に区分して、前記複数のサブフィールド期間の各々において、前記データ信号を、前記画素に供給する表示制御部と、
を備え、
前記表示制御部は、
前記映像信号が、前記画素が一の表示期間において表示すべき階調として、どのような階調を指定する場合であっても、
前記一の表示期間に後続する一のリセット期間の終了時において、前記液晶素子の透過率が、前記液晶素子の取り得る最大の透過率よりも小さい第３の値以下の値となるように、前記一の表示期間において前記画素に供給するデータ信号を生成する、
ことを特徴とする電気光学装置。
【請求項９】
請求項１乃至８のうち何れか１項に記載の電気光学装置を具備する電子機器。
【請求項１０】
液晶素子を具備する画素を備える電気光学装置の駆動方法であって、
前記画素が表示すべき階調を指定する映像信号が供給されると、
当該映像信号に基づいて、前記画素のオンまたはオフを指定するデータ信号を生成し、
時間軸上に交互に配列された表示期間とリセット期間のうち、前記表示期間を、複数のサブフィールド期間に区分して、前記複数のサブフィールド期間の各々において、前記データ信号を、前記画素に供給し、
一の表示期間において前記画素に供給する前記データ信号は、
前記映像信号が、前記画素が前記一の表示期間において表示すべき階調として、どのような階調を指定する場合であっても、
前記一の表示期間に後続する一のリセット期間の終了時において、前記液晶素子の透過率が、前記液晶素子の取り得る最小の透過率よりも大きい第１の値以上の値となる信号である、
ことを特徴とする電気光学装置の駆動方法。
【発明の詳細な説明】
【技術分野】
【０００１】
本発明は、電気光学装置、電気光学装置の駆動方法、及び、電子機器に関する。
【背景技術】
【０００２】
液晶素子を備える電気光学装置において、表示期間を複数のサブフィールド期間に分割し、サブフィールド期間毎に、液晶素子をオン状態またはオフ状態のいずれか一方で駆動することで、表示期間において画素が表示する階調を制御する、所謂サブフィールド駆動に関する技術が知られている（例えば、特許文献１）。
【先行技術文献】
【特許文献】
【０００３】
【特許文献１】特開２００３−１１４６６１号公報
【発明の概要】
【発明が解決しようとする課題】
【０００４】
サブフィールド駆動では、表示期間において画素の表示する階調は、当該画素が備える液晶素子の透過率の表示期間にわたる積分値により決定される。よって、表示の均一性を確保するためには、液晶素子の応答速度を均一化することで、画素が表示すべき階調と、画素が実際に表示する階調との間の、誤差のばらつきを小さくすることが求められる。液晶素子の応答速度は、液晶素子の透過率により変化するため、表示期間の開始時の液晶素子の透過率を均一化して液晶素子の応答速度を均一化することで、表示の均一性の程度を高めることが可能となる。
ところで、電気光学装置が立体視画像を表示する場合のように、２種類の画像を時分割で交互に表示するときには、２種類の画像が混在を抑制するため、一の画像を表示する表示期間と、他の画像を表示する表示期間との間に、リセット期間が設けられる。液晶素子は応答速度が遅いため、表示期間の間にリセット期間を設ける場合、一の画像を表示する表示期間の終了時における液晶素子の透過率のばらつきが、他の画像を表示する表示期間の開始時における液晶素子の透過率のばらつきとして現れることがある。その結果、他の画像を表示する表示期間において、液晶素子の応答速度にばらつきが生じるため、表示が均一性の程度が低下するという問題が生じることがある。液晶素子の透過率が、取り得る最小の値または最大の値となるときには、液晶素子の応答速度が特に遅くなる。そのため、例えば、透過率が最小（または最大）である液晶素子と、透過率が最小（または最大）ではない液晶素子が、混在する場合には、液晶素子の応答速度のばらつきも大きくなり、表示の均一性の程度がより一層低下することが多い。
【０００５】
本発明は、上述した事情に鑑みてなされたもので、その目的の一つは、電気光学素子をサブフィールド毎にオンまたはオフ状態で駆動する技術において、表示期間の間にリセット期間を設ける場合に、表示の均一性の程度を高めることを可能とする技術を提供することにある。
【課題を解決するための手段】
【０００６】
以上の課題を解決するために、本発明に係る電気光学装置は、液晶素子を具備する画素と、前記画素が表示すべき階調を指定する映像信号が供給されると、当該映像信号に基づいて、前記画素のオンまたはオフを指定するデータ信号を生成するとともに、時間軸上に交互に配列された表示期間とリセット期間のうち、前記表示期間を、複数のサブフィールド期間に区分して、前記複数のサブフィールド期間の各々において、前記データ信号を、前記画素に供給する表示制御部と、を備え、前記表示制御部は、前記映像信号が、前記画素が一の表示期間において表示すべき階調として、どのような階調を指定する場合であっても、前記一の表示期間に後続する一のリセット期間の終了時において、前記液晶素子の透過率が、前記液晶素子の取り得る最小の透過率よりも大きい第１の値以上の値となるように、前記一の表示期間において前記画素に供給するデータ信号を生成する、ことを特徴とする。
【０００７】
この発明によれば、リセット期間の終了時、すなわち、表示期間の開始時における液晶素子の透過率を、液晶素子の取り得る最小の透過率よりも大きい値とする。このため、表示期間の開始時において、透過率が最小となる液晶素子と、透過率が最小ではない液晶素子とが混在することを防止することができ、液晶素子の応答速度のばらつきが大きくなることを防止することができる。この結果、液晶素子の応答速度のばらつきに起因して表示の不均一の程度が低下することを防止することが可能となる。
なお、この発明において、画素がオンすることを指定するデータ信号の値は、サブフィールド期間毎に異なる可変値であっても構わない。
【０００８】
また、上述した電気光学装置において、前記表示制御部は、前記映像信号が、前記画素が一の表示期間において表示すべき階調として、どのような階調を指定する場合であっても、前記一の表示期間の終了時において、前記液晶素子の透過率が、前記液晶素子の取り得る最大の透過率よりも小さい第２の値以下の値となるように、前記一の表示期間において前記画素に供給するデータ信号を生成する、ことを特徴とするものであってもよい。
【０００９】
この態様によれば、一の表示期間の終了時において液晶素子の透過率が最大の透過率となりうる場合と比較して、一の表示期間に後続する一のリセット期間の終了時における液晶素子の透過率のばらつきを小さく抑えることができる。このため、表示の均一性の程度を高めることが可能となる。
【００１０】
また、上述した電気光学装置において、前記画素をオンしたときの当該画素が具備する前記液晶素子の透過率は、前記画素をオフしたとき透過率よりも大きく、前記表示制御部は、前記映像信号が、前記画素が前記表示期間において表示すべき階調として、最小階調を指定する場合、前記表示期間に含まれる前記複数のサブフィールド期間のうち、少なくとも一のサブフィールド期間において、前記画素のオンを指定する前記データ信号を前記画素に供給する、ことを特徴とするものであってもよい。
この態様によれば、表示期間のうち少なくとも一のサブフィールド期間において画素をオンさせるため、表示期間の終了時において液晶素子の透過率が最小の透過率となることを防止することが可能となる。このため、当該表示期間の次の表示期間の開始時において、液晶素子の透過率が最小値となることを防ぐことが可能となり、その結果、表示の均一性の程度を高めることが可能となる。
【００１１】
また、上述した電気光学装置において、前記表示制御部は、前記映像信号が、前記画素が前記表示期間において表示すべき階調として、最大階調を指定する場合、前記表示期間に含まれる前記複数のサブフィールド期間のうち、少なくとも一のサブフィールド期間において、前記画素のオフを指定する前記データ信号を前記画素に供給する、ことを特徴とするものであってもよい。
この態様によれば、表示期間の終了時において液晶素子の透過率が最大の透過率となることを防止することが可能となる。このため、当該表示期間の次の表示期間の開始時において、液晶素子の透過率のばらつきを小さく抑えることができる。これにより、表示の均一性の程度を高めることが可能となる。
【００１２】
また、上述した電気光学装置において、前記表示制御部は、前記映像信号が指定する階調と、前記映像信号が指定する階調を前記画素に表示させるために前記表示期間に含まれる前記複数のサブフィールド期間のそれぞれについて前記画素のオンまたはオフを指定するデータであるサブフィールドコードと、を対応付けて記憶する記憶部と、前記映像信号に基づいて、前記記憶部から前記サブフィールドコードを選択する選択部と、前記選択部が選択したサブフィールドコードに基づいて、前記データ信号を生成可能な生成部と、を備え、前記生成部は、前記選択部が選択したサブフィールドコードが、前記複数のサブフィールド期間の全てにおいて、前記画素のオフを指定するデータである場合、前記選択部が選択したサブフィールドコードを、前記複数のサブフィールド期間のうち少なくとも一のサブフィールド期間において前記画素のオンを指定するように補正し、当該補正後のサブフィールドコードに基づいて、前記データ信号を生成する、するものであってもよい。
この態様によれば、表示期間の終了時において液晶素子の透過率が最小の透過率となることを防止することが可能となる。このため、当該表示期間の次の表示期間の開始時において、液晶素子の透過率が最小値となることを防ぐことが可能となり、その結果、表示の均一性の程度を高めることが可能となる。
【００１３】
また、上述した電気光学装置において、前記生成部は、前記選択部が選択したサブフィールドコードが、前記複数のサブフィールド期間の全てにおいて、前記画素のオンを指定するデータである場合、前記選択部が選択したサブフィールドコードを、前記複数のサブフィールド期間のうち少なくとも一のサブフィールド期間において前記画素のオフを指定するように補正し、当該補正後のサブフィールドコードに基づいて、前記データ信号を生成する、ことを特徴とするものであってもよい。
この態様によれば、表示期間の終了時において液晶素子の透過率が最大の透過率となることを防止することが可能となる。このため、当該表示期間の次の表示期間の開始時において、液晶素子の透過率のばらつきを小さく抑えることができる。これにより、表示の均一性の程度を高めることが可能となる。
【００１４】
また、上述した電気光学装置において、前記一のサブフィールド期間は、前記表示期間に含まれる前記複数のサブフィールド期間のうち、最後のサブフィールド期間である、ことを特徴とするものであってもよい。
【００１５】
また、本発明に係る電気光学装置は、液晶素子を具備する画素と、前記画素が表示すべき階調を指定する映像信号が供給されると、当該映像信号に基づいて、前記画素のオンまたはオフを指定するデータ信号を生成するとともに、時間軸上に交互に配列された表示期間とリセット期間のうち、前記表示期間を、複数のサブフィールド期間に区分して、前記複数のサブフィールド期間の各々において、前記データ信号を、前記画素に供給する表示制御部と、を備え、前記表示制御部は、前記映像信号が、前記画素が一の表示期間において表示すべき階調として、どのような階調を指定する場合であっても、前記一の表示期間に後続する一のリセット期間の終了時において、前記液晶素子の透過率が、前記液晶素子の取り得る最大の透過率よりも小さい第３の値以下の値となるように、前記一の表示期間において前記画素に供給するデータ信号を生成する、ことを特徴とする。
【００１６】
また、上述した電気光学装置の駆動方法は、液晶素子を具備する画素を備える電気光学装置の駆動方法であって、前記画素が表示すべき階調を指定する映像信号が供給されると、当該映像信号に基づいて、前記画素のオンまたはオフを指定するデータ信号を生成し、時間軸上に交互に配列された表示期間とリセット期間のうち、前記表示期間を、複数のサブフィールド期間に区分して、前記複数のサブフィールド期間の各々において、前記データ信号を、前記画素に供給し、一の表示期間において前記画素に供給する前記データ信号は、前記映像信号が、前記画素が前記一の表示期間において表示すべき階調として、どのような階調を指定する場合であっても、前記一の表示期間に後続する一のリセット期間の終了時において、前記液晶素子の透過率が、前記液晶素子の取り得る最小の透過率よりも大きい第１の値以上の値となる信号である、ことを特徴とする。
【００１７】
また、本発明に係る電子機器は、上述した電気光学装置を備えることを特徴とする。このような電子機器として、カーナビゲーション装置、パーソナルコンピュータ、テレビ、投射型表示装置、及び、携帯電話等が該当する。
【図面の簡単な説明】
【００１８】
【図１】本発明の第１実施形態に係る電気光学装置のブロック図である。
【図２】画素回路の回路図である。
【図３】画素の動作期間を説明するための説明図である。
【図４】電気光学装置の動作を説明するためのタイミングチャートである。
【図５】電気光学装置の動作を説明するためのタイミングチャートである。
【図６】ＳＦコードを説明するための説明図である。
【図７】液晶素子の透過率の変化を説明するための説明図である。
【図８】対比例に係る液晶素子の透過率の変化を説明するための説明図である。
【図９】対比例に係る液晶素子の透過率の変化を説明するための説明図である。
【図１０】液晶素子の透過率の経時的な変化を説明するための説明図である。
【図１１】液晶素子の透過率の経時的な変化を説明するための説明図である。
【図１２】第１実施形態に係る液晶素子の透過率の変化を説明するための説明図である。
【図１３】第１実施形態に係る液晶素子の透過率の変化を説明するための説明図である。
【図１４】変形例２に係る液晶素子の透過率の変化を説明するための説明図である。
【図１５】対比例に係る液晶素子の透過率の変化を説明するための説明図である。
【図１６】変形例６に係る電気光学装置の動作を説明するためのタイミングチャートである。
【図１７】電子機器（投射型表示装置）の斜視図である。
【図１８】電子機器（パーソナルコンピュータ）の斜視図である。
【図１９】電子機器（携帯電話機）の斜視図である。
【発明を実施するための形態】
【００１９】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２０】
＜Ａ．実施形態＞
図１は、本発明の第１実施形態に係る電気光学装置１のブロック図である。電気光学装置１は、相互に視差が付与された右目用画像及び左目用画像を時分割で交互に表示することで、立体視画像を表示する。また、電気光学装置１は、サブフィールド駆動により、これら右目用画像及び左目用画像を表示する。
【００２１】
電気光学装置１は、電気光学パネル１０、制御部５０、及び、立体視用眼鏡６０を備える。電気光学パネル１０は、複数の画素Ｐｘが配列された表示部３０と、各画素Ｐｘを駆動する駆動回路２０と、を備える。この電気光学パネル１０には、右目用画像と左目用画像とが時分割で交互に表示される。なお、以下では、駆動回路２０及び制御部５０を表示制御部１００と総称する場合がある。
【００２２】
図１に示すように、表示部３０には、ｘ方向に延在するＭ本の走査線３２と、ｘ方向に交差するｙ方向に延在するＮ本のデータ線３４とが形成される（Ｍ及びＮは自然数）。複数の画素Ｐｘは、表示部３０において、走査線３２とデータ線３４との各交差に対応して縦Ｍ行×横Ｎ列の行列状に配列される。なお、本実施形態において、画素Ｐｘは、Ｍ本の走査線３２及びＮ本のデータ線３４によるＭ×Ｎ個の交差の全てに配置されるが、これらＭ×Ｎ個の交差のうち一部に配置されるものであっても構わない。
【００２３】
駆動回路２０は、各画素Ｐｘの表示する階調を指定するデータ信号ＶＤ[ｎ]（ｎ＝１〜Ｎ）を、各画素Ｐｘに対応して設けられる画素回路４０に対して供給する回路であり、走査線駆動回路２２とデータ線駆動回路２４とを具備する。
走査線駆動回路２２は、各走査線３２に対応する走査信号Ｙ[１]〜Ｙ[Ｍ]を各走査線３２に対して供給することで各走査線３２を順次に選択する。具体的には、走査信号Ｙ[ｍ]（ｍ＝１〜Ｍ）が所定の選択電位に設定される（すなわち第ｍ行の走査線３２が選択される）ことで第ｍ行の走査線３２が選択される。
データ線駆動回路２４は、走査線駆動回路２２による走査線３２の選択に同期してＮ本のデータ線３４の各々にデータ信号ＶＤ[１]〜ＶＤ[Ｎ］を供給する。データ信号ＶＤ[ｎ]（ｎ＝１〜Ｎ）は、後述する映像信号Ｄinが各画素Ｐｘに対して指定する階調に応じて可変に設定される。
【００２４】
図２は、各画素Ｐｘに対応して設けられる画素回路４０の回路図である。図２に示すように、各画素回路４０は、液晶素子ＣＬ、選択スイッチＳｗ、容量Ｃｏ、及び、光源（図示省略）、を含む。
液晶素子ＣＬは、画素電極４１、共通電極４２、並びに、画素電極４１及び共通電極４２の間に設けられた液晶４３を具備する電気光学素子である。液晶素子ＣＬに（つまり、画素電極４１と共通電極４２との間に）電圧が印加されると、当該印加された電圧の大きさに応じて液晶素子ＣＬの相対透過率が変化する。そして、画素Ｐｘは、液晶素子ＣＬの相対透過率に応じた階調を表示する。
ここで、液晶素子ＣＬの相対透過率とは、液晶素子ＣＬに電圧が印加されていない状態であって液晶４３が最も光を透過しにくい状態であるときに液晶素子ＣＬを透過する光量を０％とし、液晶素子ＣＬに印加しうる最大の電圧を印加した状態であって液晶４３が最も光を透過しやすい状態であるときに液晶素子ＣＬを透過する光量を１００％となるように、液晶素子ＣＬを透過する光量をスケーリングしたものである。以下では、液晶素子ＣＬの相対透過率を、単に「透過率」と称する場合がある。
なお、本実施形態では、液晶素子ＣＬが備える液晶４３が、ＶＡ（Virtical Alignment）方式であり、画素電極４１及び共通電極４２の間に電圧が印加されていない状態において画素Ｐｘが黒表示（液晶素子ＣＬの相対透過率が０％）となるノーマリーブラックモードである場合を例示して説明する。
【００２５】
共通電極４２は、所定の基準電位Ｖcomに設定されている。容量Ｃｏは、一端が画素電極４１に電気的に接続され、他端が一定の電圧に保たれた容量線３６に電気的に接続される。また、共通電極４２も、容量線３６に電気的に接続される。
選択スイッチＳｗは、例えば、Ｎチャネル型のトランジスターであり、画素電極４１とデータ線３４との間に設けられ、両者の電気的な接続（導通／絶縁）を制御する。具体的には、Ｎチャネル型のトランジスターである選択スイッチＳｗのゲートは走査線３２と電気的に接続され、走査信号Ｙ[ｍ]が選択電位に設定されると、第ｍ行の画素回路４０に設けられた選択スイッチＳｗがオン状態となる。そして、選択スイッチＳｗがオン状態となると、当該画素回路４０に、データ線３４からデータ信号ＶＤ[ｎ]が供給され、液晶素子ＣＬには当該データ信号ＶＤ[ｎ]に応じた電圧が印加される。これにより、当該画素回路４０の液晶素子ＣＬは、データ信号ＶＤ[ｎ]に応じた透過率に設定され、当該画素回路４０に対応する画素Ｐｘは、データ信号ＶＤ[ｎ]に応じた階調を表示する。
画素回路４０の液晶素子ＣＬにデータ信号ＶＤ[ｎ]に応じた電圧が印加された後、選択スイッチＳｗがオフ状態となると、データ信号ＶＤ[ｎ]は容量Ｃｏにより保持される。そのため、各画素Ｐｘは、選択スイッチＳｗがオン状態となった後から、次にオン状態となるまでの期間において、データ信号ＶＤ[ｎ]に応じた階調を表示する。
【００２６】
説明を図１に戻す。図１に示すように、制御部５０は、信号生成部５１、眼鏡制御回路５２、表示情報生成部５３、及び、記憶部５４を備える。
信号生成部５１には、図示省略した上位装置から同期信号が供給される。同期信号とは、例えば、垂直同期信号Ｖsnc、水平同期信号、及び、ドットクロック信号等を含む信号である。信号生成部５１は、同期信号に基づいて、電気光学装置１の動作を制御するための信号である制御信号Ｃtrを生成し、生成した制御信号Ｃtrを駆動回路２０に対して供給する。制御信号Ｃtrとは、例えば、垂直同期信号Ｖsnc、Ｙ入力パルス信号Ｄyin、リセット信号Ｖrst、Ｙクロック信号Ｃly、イネーブル信号、及び、ドットクロック信号等を含む信号である。これら各種信号についての詳細は後述する。
【００２７】
眼鏡制御回路５２は、信号生成部５１が生成した制御信号Ｃtrに基づいて、立体視用眼鏡６０の動作を制御するための信号である眼鏡制御信号を生成し、これを立体視用眼鏡６０に対して供給する。
立体視用眼鏡６０は、電気光学パネル１０が表示する立体視画像の視認時に観察者が装着する眼鏡型の器具であり、観察者の左眼の前方に位置する左眼用シャッター６２と右眼の前方に位置する右眼用シャッター６４とを具備する。左眼用シャッター６２および右眼用シャッター６４の各々は、眼鏡制御回路５２から供給される眼鏡制御信号に基づいて、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが左眼用シャッター６２および右眼用シャッター６４として採用され得る。
【００２８】
表示情報生成部５３は、図示省略した上位装置から、映像信号Ｄinが同期信号に同期して供給されると、当該映像信号Ｄinと、記憶部５４の記憶するＳＦコードＣｄとに基づいて、画像データＤｘを生成する。
映像信号Ｄinとは、各画素Ｐｘで表示すべき階調を指定するデータである。本実施形態では、映像信号Ｄinは、各画素Ｐｘで表示すべき階調を「０」から「２５５」までの２５６段階（つまり、８ビット）で規定するデジタルデータである。また、本実施形態では、画像データＤｘは、デジタルの信号であるが、アナログの信号であってもよい。
記憶部５４は、映像信号Ｄinが各画素Ｐｘに対して指定する階調と、サブフィールドコード（ＳＦコード）Ｃｄと、を対応付けて記憶する。なお、ＳＦコードＣｄについては、後述する。
【００２９】
表示情報生成部５３は、選択部５３１、及び、生成部５３２を備える。
選択部５３１は、映像信号Ｄinに対応するＳＦコードＣｄを、記憶部５４から選択し、選択したＳＦコードＣｄを生成部５３２に供給する。
生成部５３２は、選択部５３１が選択したＳＦコードＣｄに補正を施すことにより補正ＳＦコードＣｄｘを生成する。そして、生成部５３２は、生成した補正ＳＦコードＣｄｘに基づいて画像データＤｘを生成し、生成した画像データＤｘをデータ線駆動回路２４に対して供給する。データ線駆動回路２４は、表示情報生成部５３が生成する画像データＤｘをＤ／Ａ変換することで、データ信号ＶＤ[ｎ]を生成する。なお、補正ＳＦコードＣｄｘについての詳細は、後述する。
【００３０】
図３は、電気光学装置１が備える各画素Ｐｘ（画素回路４０）の動作期間を説明するための説明図である。
図３に示すように、各画素Ｐｘの動作期間は複数のフレーム期間Ｆからなる。フレーム期間Ｆとは、画素Ｐｘ毎に定められる期間である。より具体的には、フレーム期間Ｆとは、電気光学装置１が一の左眼用画像と一の右眼用画像とからなる一の立体視画像を表示する場合に、各画素Ｐｘが当該一の立体視画像に対応する階調（つまり、一の左眼用画像に対応する階調、及び、一の右眼用画像に対応する階調）を表示するために必要な期間である。
本実施形態では、電気光学装置１は、１秒間に６０個の立体視画像を表示する。そのため、本実施形態において、フレーム期間Ｆの時間長は約１６．６７ミリ秒である。
【００３１】
図３に示すように、各フレーム期間Ｆは、リセット期間Ｒ１、左眼用画像の表示期間Ｔ１（以下、単に「表示期間Ｔ１」と称する）、リセット期間Ｒ２、及び、右眼用画像の表示期間Ｔ２（以下、単に「表示期間Ｔ２」と称する）に区分される。リセット期間Ｒ１はフレーム期間Ｆの開始と同時に開始される期間であり、表示期間Ｔ１はリセット期間Ｒ１に後続する期間であり、リセット期間Ｒ２は表示期間Ｔ１に後続する期間であり、表示期間Ｔ２はリセット期間Ｒ２に後続しフレーム期間Ｆと同時に終了する期間である。なお、以下では、表示期間Ｔ１及び表示期間Ｔ２を「表示期間Ｔ」と総称し、リセット期間Ｒ１及びリセット期間Ｒ２を「リセット期間Ｒ」と総称する場合がある。
各画素Ｐｘは、表示期間Ｔ１において、電気光学装置１が表示部３０に表示する左眼用画像に対応する階調を表示し、表示期間Ｔ２において、電気光学装置１が表示部３０に表示する右眼用画像に対応する階調を表示する。
【００３２】
図３に示すように、各表示期間Ｔは、互いに等しい時間長を有する５個の単位期間Ｕ（単位期間Ｕ［１］〜Ｕ［５］）からなる。また、各リセット期間Ｒは、互いに等しい時間長を有する２個の単位期間Ｕ（単位期間Ｕ［１］〜Ｕ［２］）からなる。単位期間Ｕとは、走査線駆動回路２２が、第１行の走査線３２の選択を開始してから、第１行〜第Ｍ行のＭ本の走査線３２を選択して次に再び第１行の走査線３２の選択を開始するまでの期間と等しい時間長を有する期間である。
【００３３】
各単位期間Ｕは、２個のサブフィールド期間ＳＦに区分される。すなわち、各表示期間Ｔは、１０個のサブフィールド期間ＳＦ［１］〜ＳＦ［１０］に区分される。また、各リセット期間Ｒにおいて、４個のサブフィールド期間ＳＦ［１］〜ＳＦ［４］に区分される。
本実施形態において、表示期間Ｔに含まれる１０個のサブフィールド期間ＳＦの各々と、リセット期間Ｒに含まれる４個のサブフィールド期間ＳＦの各々は、互いに等しい時間長を有する。上述のとおり、本実施形態においてフレーム期間Ｆの時間長は約１６．６７ミリ秒であるため、本実施形態における各サブフィールド期間ＳＦの時間長は約０．６０ミリ秒である。
【００３４】
データ線駆動回路２４は、画素Ｐｘの表示期間Ｔに含まれる１０個のサブフィールド期間ＳＦの各々が開始されるタイミングにおいて、当該画素Ｐｘに対してデータ信号ＶＤ[ｎ]を供給する。本実施形態において、データ信号ＶＤ[ｎ]は、画素Ｐｘのオンまたはオフを指定する信号である。すなわち、データ線駆動回路２４は、各画素Ｐｘに対してサブフィールド期間ＳＦ毎にデータ信号ＶＤ[ｎ]を供給することで、サブフィールド期間ＳＦ毎に各画素Ｐｘのオンまたはオフを指定する。
データ線駆動回路２４は、画素Ｐｘにオンを指定する場合には、当該画素Ｐｘに供給するデータ信号ＶＤ[ｎ]を、当該画素Ｐｘが最大階調を表示するような電位（つまり、当該画素Ｐｘが備える液晶素子ＣＬの相対透過率が最大となるような電位）に設定する。また、データ線駆動回路２４は、画素Ｐｘにオフを指定する場合には、当該画素Ｐｘに供給するデータ信号ＶＤ[ｎ]を、当該画素Ｐｘが最小階調を表示するような電位（つまり、当該画素Ｐｘが備える液晶素子ＣＬの相対透過率が最小となるような電位）に設定する。
また、データ線駆動回路２４は、画素Ｐｘの表示期間Ｔのうち、サブフィールド期間ＳＦ［１］〜ＳＦ［５］においては、基準電位Ｖcomに対して高電位となる正極性のデータ信号ＶＤ[ｎ]を画素Ｐｘに供給し、サブフィールド期間ＳＦ［６］〜ＳＦ［１０］においては、基準電位Ｖcomに対して低電位となる負極性のデータ信号ＶＤ[ｎ]を画素Ｐｘに供給する。
なお、本実施形態において、データ信号ＶＤ[ｎ]は、画素Ｐｘの最大階調を指定する値または最小階調を指定する値に設定されるが、これら以外の中間階調を指定する値に設定されるものであってもよい。また、この場合、データ信号ＶＤ[ｎ]の値は、サブフィールド期間ＳＦ毎に異なる可変値であってもよい。
【００３５】
また、データ線駆動回路２４は、画素Ｐｘのリセット期間Ｒに含まれる４個のサブフィールド期間ＳＦの各々が開始されるタイミングにおいて、当該画素Ｐｘに対して、画素Ｐｘのオフを指定するデータ信号ＶＤ[ｎ]を供給する。
なお、本実施形態では、データ線駆動回路２４は、リセット期間Ｒにおいて画素Ｐｘに供給されるデータ信号ＶＤ[ｎ]を、当該画素Ｐｘが最小階調を表示するような電位に設定するが、所定のリセット電位に設定するものであってもよい。すなわち、電気光学装置１は、リセット期間Ｒにおいて、画素Ｐｘに対して所定の電位を供給するものであり、積極的に画素Ｐｘの階調の制御を行わないため、映像信号Ｄinまたは画像データＤｘを記憶するメモリ容量を小さく抑えることができる。
【００３６】
以下において、上述した画素Ｐｘの動作期間とは別に定義される、電気光学装置１の全体の動作期間について説明する。
上述した画素Ｐｘの動作期間（フレーム期間Ｆ、単位期間Ｕ、表示期間Ｔ等）は、走査線駆動回路２２による走査線３２の選択を契機として各行の画素Ｐｘ毎に開始される期間であり、画素Ｐｘの位置する行毎に異なるタイミングで開始される期間である。これに対して、電気光学装置１の動作期間は、電気光学装置１の全体として一意に定義される期間である。
以下、図４及び図５を参照しつつ、電気光学装置１の動作期間と、電気光学装置１が備える複数の画素Ｐｘの各々の動作期間との関係を説明する。
【００３７】
図４は、電気光学装置１の動作を説明するためのタイミングチャートである。図４（Ａ）に示すように、電気光学装置１の動作期間は、複数の基準フレーム期間ＢＦに区分される。
基準フレーム期間ＢＦは、同期信号に含まれる垂直同期信号Ｖsncがハイレベルになるタイミングから次にハイレベルになるタイミングまでの期間であり、各画素Ｐｘのフレーム期間Ｆと同一の時間長を有する。この基準フレーム期間ＢＦは、電気光学装置１が、一の左眼用画像と一の右眼用画像とからなる一の立体視画像を表示するための期間である。
【００３８】
図４（Ａ）に示すように、各基準フレーム期間ＢＦは、基準フレーム期間ＢＦの開始と同時に開始される基準リセット期間ＢＲ１、基準リセット期間ＢＲ１に後続する基準表示期間ＢＴ１、基準表示期間ＢＴ１に後続する基準リセット期間ＢＲ２、及び、基準リセット期間ＢＲ２に後続する基準表示期間ＢＴ２に区分される。以下では、基準リセット期間ＢＲ１及びＢＲ２を、基準リセット期間ＢＲと総称し、基準表示期間ＢＴ１及びＢＴ２を、基準表示期間ＢＴと総称する場合がある。
【００３９】
図４（Ａ）及び（Ｂ）に示すように、基準表示期間ＢＴは、互いに等しい時間長を有する５個の基準単位期間ＢＵ（ＢＵ［１］〜ＢＵ［５］）に区分される。また、図示は省略するが、基準リセット期間ＢＲは、２個の基準単位期間ＢＵに区分される。基準単位期間ＢＵのそれぞれは、制御信号Ｃtrに含まれるリセット信号Ｖrstがハイレベルになるタイミングから次にハイレベルになるまでの期間であり、各画素Ｐｘの単位期間Ｕと同一の時間長を有する。
また、図４（Ｂ）及び（Ｃ）に示すように、制御信号Ｃtrに含まれるＹ入力パルス信号Ｄyinは、リセット信号Ｖrstがハイレベルに立ち上がる周期の半分の周期でハイレベルに立ち上がる。以下では、Ｙ入力パルス信号Ｄyinがハイレベルに立ち上がり、その後ローレベルに立ち下がるまでの波形を、入力パルスＤｙと称する。すなわち、Ｙ入力パルス信号Ｄyinは、各基準表示期間ＢＴにおいて入力される１０個の入力パルスＤｙ［１］〜Ｄｙ［１０］と、各基準リセット期間ＢＲにおいて入力される４個の入力パルスＤｙ［１］〜Ｄｙ［４］と、を含む。なお、説明の都合上、これらの１４個の入力パルスＤｙのうち１個の入力パルスＤｙを表す場合に、１≦ｚ≦１０を満たす自然数ｚを用いて、入力パルスＤｙ［ｚ］と表現する。
【００４０】
図４（Ｃ）に示すように、Ｙクロック信号Ｃlyは、水平走査期間Ｈの２倍の周期を有するデューティー比が５０％の信号である。
走査線駆動回路２２は、入力パルスＤｙ［ｚ］を、Ｙクロック信号Ｃlyに基づいてＹクロック信号Ｃlyの半周期に相当する幅（水平走査期間Ｈに相当する幅）に狭めるとともに水平走査期間Ｈずつ遅延させ、更に、遅延させた当該入力パルスをイネーブル信号（図示省略）に基づいて水平走査期間Ｈの半分に相当する幅に狭めることで、選択パルスＹＳ［ｚ］を生成し、これを、走査信号Ｙ[１]〜Ｙ[Ｍ]として各走査線３２に出力する。なお、図４では、Ｍ＝８００の場合を例示している。
各表示期間Ｔまたはリセット期間Ｒにおいて、奇数番目の選択パルスＹＳ［ｚ］は、各水平走査期間Ｈの前半において出力され、偶数番目の選択パルスＹＳ［ｚ］は、各水平走査期間Ｈの後半において出力される。
【００４１】
このように、走査線駆動回路２２は、走査信号Ｙ[ｍ]として選択パルスＹＳ［ｚ］を出力することで、走査信号Ｙ[ｍ]を所定の選択電位に設定し、第１行〜第Ｍ行の走査線３２を、水平走査期間Ｈ毎に１行ずつ選択する。そして、走査線駆動回路２２が、第ｍ行の走査線３２に選択パルスＹＳ［ｚ］を出力するタイミングで、第ｍ行の画素Ｐｘにおいてサブフィールド期間ＳＦ［ｚ］が開始される。
また、データ線駆動回路２４は、走査線駆動回路２２が選択パルスＹＳ［ｚ］を第ｍ行の走査線３２に出力して第ｍ行の画素Ｐｘを選択するタイミングにおいて、当該画素Ｐｘがサブフィールド期間ＳＦ［ｚ］に表示すべき階調を指定するデータ信号ＶＤ[ｎ]を供給する。
なお、以下では、走査線駆動回路２２が選択パルスＹＳ［ｚ］を走査信号Ｙ[ｍ]として走査線３２に出力して走査線３２を選択することを、選択線Ｌ［ｚ］として表現する。
【００４２】
図５に、電気光学装置１の基準表示期間ＢＴ及び基準リセット期間ＢＲ、各画素Ｐｘの表示期間Ｔ及びリセット期間Ｒ、並びに、立体視用眼鏡６０のシャッターの開閉状態の関係を示す。
図５に示すように、基準表示期間ＢＴの開始後に、第１行の画素Ｐｘについて表示期間Ｔが開始され、その後、１行毎に水平走査期間Ｈだけ遅れて、各行の画素Ｐｘの表示期間Ｔが順番に開始される。また、表示期間Ｔにおいて、選択線Ｌ［１］〜Ｌ［１０］として表される走査線３２の選択を契機として、１行毎に水平走査期間Ｈだけ遅れて、各行の画素Ｐｘのサブフィールド期間ＳＦ［１］〜ＳＦ［１０］が開始される。
同様に、基準リセット期間ＢＲの開始後に、第１行の画素Ｐｘについてリセット期間Ｒが開始され、その後、１行毎に水平走査期間Ｈだけ遅れて、各行の画素Ｐｘのリセット期間Ｒが順番に開始される。また、リセット期間Ｒにおいて、選択線Ｌ［１］〜Ｌ［４］として表される走査線３２の選択を契機として、１行毎に水平走査期間Ｈだけ遅れて、各行の画素Ｐｘのサブフィールド期間ＳＦ［１］〜ＳＦ［４］が開始される。
なお、本実施形態では、基準表示期間ＢＴの開始から、水平走査期間Ｈの２倍の時間が経過後に、第１行の画素Ｐｘの表示期間Ｔが開始されるが、これは一例であり、例えば、基準表示期間ＢＴの開始と同時に第１行の画素Ｐｘの表示期間Ｔを開始してもよいし、所定の間隔が経過後に開始してもよい。リセット期間Ｒについても同様である。
【００４３】
図５に示すように、眼鏡制御回路５２は、第１行の画素Ｐｘの表示期間Ｔ１において、左眼用シャッター６２を開状態に制御し、右眼用シャッター６４を閉状態に制御する。また、眼鏡制御回路５２は、第１行の画素Ｐｘの表示期間Ｔ２において、右眼用シャッター６４を開状態に制御し、左眼用シャッター６２を閉状態に制御する。また、眼鏡制御回路５２は、第１行の画素Ｐｘのリセット期間Ｒ（Ｒ１、Ｒ２）において、左眼用シャッター６２及び右眼用シャッター６４の双方を閉状態に制御する。
【００４４】
なお、上述した左眼用シャッター６２及び右眼用シャッター６４が開状態に制御される期間は一例に過ぎない。眼鏡制御回路５２は、第ｍ行の画素Ｐｘの表示期間Ｔ１の少なくとも一部を含む期間において、左眼用シャッター６２を開状態に制御し、第ｍ行の画素Ｐｘの表示期間Ｔ１において、右眼用シャッター６４を閉状態に制御し、第ｍ行の画素Ｐｘの表示期間Ｔ２の少なくとも一部を含む期間において、右眼用シャッター６４を開状態に制御し、第ｍ行の画素Ｐｘの表示期間Ｔ２において、左眼用シャッター６２を閉状態に制御するものであればよい。
例えば、第１行の画素Ｐｘの表示期間Ｔ（Ｔ１、Ｔ２）に加え、当該表示期間Ｔに後続する第１行の画素Ｐｘのリセット期間Ｒ（Ｒ２、Ｒ１）の単位期間Ｕ［１］において、シャッター（左眼用シャッター６２、右眼用シャッター６４）を開状態に制御してもよい。例えば、第１行の画素Ｐｘの表示期間Ｔ（Ｔ１、Ｔ２）のうち、最初の単位期間Ｕ［１］を除いた単位期間Ｕ［２］〜Ｕ［５］においてのみ、シャッター（左眼用シャッター６２、右眼用シャッター６４）を開状態に制御し、第１行の画素Ｐｘの単位期間Ｕ［１］では、左眼用シャッター６２及び右眼用シャッター６４を閉状態に制御してもよい。また、例えば、基準表示期間（ＢＴ１、ＢＴ２）においてシャッター（左眼用シャッター６２、右眼用シャッター６４）を開状態に制御してもよい。
【００４５】
上述のとおり、本実施形態に係る電気光学装置１は、表示期間Ｔに含まれる１０個のサブフィールド期間ＳＦの各々において、画素Ｐｘをオンまたはオフすることで、当該表示期間Ｔにおいて画素Ｐｘが表示する階調を制御するサブフィールド駆動により画像を表示する。
より具体的には、電気光学装置１は、表示期間Ｔにおいて画素Ｐｘに映像信号Ｄinが指定する階調を表示させる場合に、当該表示期間Ｔに含まれる１０個のサブフィールド期間ＳＦのそれぞれにおいて、画素Ｐｘに対してオンまたはオフのいずれの状態を指定すべきかを、記憶部５４が記憶するＳＦコードＣｄに基づいて決定することで、画素Ｐｘが表示する階調を制御する。
以下で、ＳＦコードＣｄと、画素Ｐｘが表示する階調との関係について説明する。
【００４６】
図６は、記憶部５４の記憶内容の一例を示す図である。記憶部５４は、映像信号Ｄinが各画素Ｐｘに対して指定可能な２５６種類の階調「０」〜「２５５」と、これら２５６種類の階調と１対１に対応する２５６個のＳＦコードＣｄ（Ｃｄ［０］〜Ｃｄ［２５５］）と、を対応付けて記憶する。
各ＳＦコードＣｄ［ｋ］（ｋは、０≦ｋ≦２５５を満たす整数）は、表示期間Ｔに含まれる１０個のサブフィールド期間ＳＦのそれぞれについて、画素Ｐｘをオンすることを指定する値「１」または画素Ｐｘをオフすることを指定する値「０」のいずれかの値が設定された、１０ビットのデータである。例えば、図６に示すＳＦコードＣｄ［２］は、表示期間Ｔのうち、サブフィールド期間ＳＦ［１］及びＳＢ［６］において画素Ｐｘをオンすることを指定し、ＳＦコードＣｄ［３］は、サブフィールド期間ＳＦ［１］及びＳＢ［３］において画素Ｐｘをオンすることを指定することを、その内容としている。
【００４７】
図７は、表示期間Ｔのサブフィールド期間ＳＦ［１］〜ＳＦ［１０］において、画素Ｐｘをオンまたはオフする場合の、当該画素Ｐｘが備える液晶素子ＣＬの透過率の変化を表す説明図である。具体的には、この図に表されるグラフにおいて、横軸は時間を、縦軸は画素Ｐｘが備える液晶素子ＣＬの透過率を表す。
図７（Ａ）は、ＳＦコードＣｄ［２］に基づいて画素Ｐｘのオンまたはオフを制御し、サブフィールド期間ＳＦ［１］及びＳＦ［６］において画素Ｐｘにオンを指定する場合における、当該画素Ｐｘが備える液晶素子ＣＬの透過率の変化を表す。ここで、面積Ｇ１及び面積Ｇ２の合計値は、当該画素Ｐｘが備える液晶素子ＣＬの透過率の表示期間Ｔにおける積分値を表す。
また、図７（Ｂ）は、ＳＦコードＣｄ［３］に基づいて画素Ｐｘのオンまたはオフを制御し、サブフィールド期間ＳＦ［１］及びＳＦ［３］において画素Ｐｘにオンを指定する場合における、当該画素Ｐｘが備える液晶素子ＣＬの透過率の変化を表す。ここで、面積Ｇ３は、当該画素Ｐｘが備える液晶素子ＣＬの透過率の表示期間Ｔにおける積分値を表す。
【００４８】
ＳＦコードＣｄ［２］及びＣｄ［３］は、共に、表示期間Ｔのうち２個のサブフィールド期間ＳＦにおいて、画素Ｐｘにオンを指定する。そのため、ＳＦコードＣｄ［２］に基づいて画素Ｐｘのオンまたはオフを制御する場合に画素Ｐｘが表示する階調は、ＳＦコードＣｄ［３］に基づいて画素Ｐｘのオンまたはオフを制御する場合の階調と等しくなるとも考えられる。
しかし、液晶素子ＣＬは、ＤＭＬ（Digital Micromirror Device）等の電気光学素子に比べて応答速度が遅い。そのため、図７（Ａ）及び（Ｂ）に示すように、面積Ｇ３は、面積Ｇ１及びＧ２の合計よりも大きくなる。また、画素Ｐｘが表示期間Ｔにおいて表示する階調は、当該画素Ｐｘが備える液晶素子ＣＬの透過率の表示期間Ｔにおける積分値に基づいて定められる。従って、ＳＦコードＣｄ［３］に基づいて画素Ｐｘのオンまたはオフを制御する場合には、ＳＦコードＣｄ［２］に基づいて制御する場合と比較して、表示期間Ｔにおいて画素Ｐｘが表示する階調のレベルが高くなる（つまり、画素Ｐｘは、より明るい表示が可能となる）。
【００４９】
このように、表示期間Ｔのうち画素Ｐｘにオンを指定する期間の合計の時間長が同一であっても、離散的な複数のサブフィールド期間ＳＦにおいて画素Ｐｘにオンを指定する場合には、当該複数のサブフィールド期間ＳＦ同士の時間間隔が短くなるに従って、表示期間Ｔにおいて画素Ｐｘの表示する階調のレベルは高くなる。
本実施形態におけるＳＦコードＣｄは、このような液晶素子ＣＬが具備する液晶４３の応答速度をも考慮することで、２５６個のＳＦコードＣｄの各々が画素Ｐｘに対して指定する階調が互いに異なる階調となるように定められている。
【００５０】
上述のとおり、本実施形態に係る電気光学装置１は、生成部５３２において、選択部５３１が選択したＳＦコードＣｄ［ｋ］を補正した補正ＳＦコードＣｄｘ［ｋ］を生成し、当該補正ＳＦコードＣｄｘ［ｋ］に基づいて、画像データＤｘを生成する。
具体的には、生成部５３２は、第１に、表示期間Ｔに後続するリセット期間Ｒの終了時における液晶素子ＣＬの透過率が、表示期間Ｔの終了時における液晶素子ＣＬの透過率が、値Ａmin以上であり、且つ、値Ａmax（「第２の値」の一例）以下となるように、ＳＦコードＣｄ［ｋ］を補正することで、補正ＳＦコードＣｄｘ［ｋ］を生成する。
第２に、生成部５３２は、補正ＳＦコードＣｄｘ［ｋ］が、サブフィールド期間ＳＦ［ｚ］において、画素Ｐｘにオンを指定する値「１」を示す場合には、当該サブフィールド期間ＳＦ［ｚ］において画素Ｐｘに最大階調を指定するデータ信号ＶＤ[ｎ]に対応する画像データＤｘを生成する。一方、生成部５３２は、補正ＳＦコードＣｄｘ［ｋ］が、サブフィールド期間ＳＦ［ｚ］において、画素Ｐｘにオフを指定する値「０」を示す場合には、当該サブフィールド期間ＳＦ［ｚ］において画素Ｐｘに最小階調を指定するデータ信号ＶＤ[ｎ]に対応する画像データＤｘを生成する。
なお、生成部５３２が実行されるＳＦコードＣｄの補正の詳細、並びに、値Ａmin及び値Ａmaxついての詳細は、後述する。
【００５１】
以下では、本実施形態に係る電気光学装置１において、ＳＦコードＣｄを補正した補正ＳＦコードＣｄｘに基づいて画像データＤｘ及びデータ信号ＶＤ[ｎ]を生成することの意義を説明するために、ＳＦコードＣｄに基づいて画像データＤｘ及びデータ信号ＶＤ[ｎ]を生成する場合（以下、「対比例」と称する）を説明する。
なお、対比例に係る電気光学装置は、補正ＳＦコードＣｄｘに基づいて画像データＤｘを生成する代わりに、ＳＦコードＣｄに基づいて画像データＤｘを生成する点を除いて、本実施形態に係る電気光学装置１と同様に構成されているものとする。
【００５２】
図８は、対比例に係る電気光学装置が備える画素Ｐｘに対して、ＳＦコードＣｄ［２５５］に基づいて、表示期間Ｔ２の全てのサブフィールド期間ＳＦにおいてオンを指定する場合の、当該画素Ｐｘが備える液晶素子ＣＬの透過率の変化を表す説明図である。
このうち、図８（Ａ）は、ＳＦコードＣｄ［０］に基づいて、表示期間Ｔ２に先行する表示期間Ｔ１の全てのサブフィールド期間ＳＦにおいて画素Ｐｘにオフを指定していた場合の、表示期間Ｔ２における液晶素子ＣＬの透過率の変化を例示する。
また、図８（Ｂ）は、ＳＦコードＣｄ［２５５］に基づいて、表示期間Ｔ２に先行する表示期間Ｔ１の全てのサブフィールド期間ＳＦにおいて画素Ｐｘにオンを指定していた場合の、表示期間Ｔ２における液晶素子ＣＬの透過率の変化を例示する。
【００５３】
図８（Ａ）に示すように、画素Ｐｘに対して、表示期間Ｔ１の全てのサブフィールド期間ＳＦにおいてオフを指定していた場合、表示期間Ｔ１の終了時における液晶素子ＣＬ透過率は０％または０％に近い値となる。そのため、表示期間Ｔ１に後続するリセット期間Ｒ２の終了時、すなわち、表示期間Ｔ２の開始時における液晶素子ＣＬの透過率も、０％または０％に近い値となる。
一方、図８（Ｂ）に示すように、画素Ｐｘに対して、表示期間Ｔ１の全てのサブフィールド期間ＳＦにおいてオンを指定していた場合、表示期間Ｔ１の終了時における液晶素子ＣＬ透過率は１００％または１００％に近い値となる。そのため、表示期間Ｔ２の開始時における液晶素子ＣＬの透過率は、０％よりも大きな値となる。
【００５４】
図１０は、画素Ｐｘに対して、当該画素Ｐｘをオンさせるデータ信号ＶＤ[ｎ]を供給した場合における、当該画素Ｐｘが備える液晶素子ＣＬの透過率の経時的な変化の一例を表す説明図である。図１０に示すグラフにおいて、縦軸は液晶素子ＣＬの透過率を表し、横軸は画素Ｐｘにオンを指定するデータ信号ＶＤ[ｎ]が供給されてからの経過時間を表す。
この図では、データ信号ＶＤ[ｎ]が供給されるタイミングにおける液晶素子ＣＬの透過率（以下、「初期透過率」と称する場合がある）を０％〜８０％の範囲で変化させたときの、各初期透過率に対応する、当該画素Ｐｘの液晶素子ＣＬの透過率の変化を表している。
【００５５】
図１０に示すように、液晶素子ＣＬの透過率の立ち上がりの速度（応答速度）は、液晶素子ＣＬの初期透過率が０％に近づくにつれて遅くなる。特に、液晶素子ＣＬの初期透過率が１％よりも小さい場合には、１％以上の場合と比較して、液晶素子ＣＬの透過率の立ち上がりの速度が、大幅に遅くなる。これは、液晶素子ＣＬの透過率が０％に近い場合には、液晶素子ＣＬの液晶４３が備える液晶分子に対して働く配向規制力が強いため、液晶素子ＣＬにデータ信号ＶＤ[ｎ]を供給しても、当該液晶素子ＣＬの備える液晶分子が動き出すまでに時間がかかることによる。
そのため、液晶素子ＣＬの液晶４３が備える液晶分子を、液晶素子ＣＬの透過率が０％の配向状態から少しでも傾けた状態として、当該液晶分子に対する配向規制力を弱めることで、液晶素子ＣＬの透過率の立ち上がりの速度を速くすることができる。つまり、液晶素子ＣＬの初期透過率を０％よりも少しでも大きくすることで（例えば、１％以上にすることで）、初期透過率を０％の場合と比較して、液晶素子ＣＬの透過率の立ち上がる速度を大幅に速くすることができる。
【００５６】
このため、図８（Ｂ）に示すように、表示期間Ｔ２の開始時点における液晶素子ＣＬの透過率が０％よりも大きい場合は、図８（Ａ）に示すような、表示期間Ｔ２の開始時点における液晶素子ＣＬの透過率が０％である場合と比較して、液晶素子ＣＬの透過率の立ち上がりの速度が、大幅に速くなる。
その結果、図８（Ｂ）に示す場合において、表示期間Ｔ２における液晶素子ＣＬの透過率の積分値を表す面積ＧＷ２Ｘは、図８（Ａ）に示す場合において、表示期間Ｔ２における液晶素子ＣＬの透過率の積分値を表す面積ＧＷ１Ｘと比較して大きくなり、表示期間Ｔ２において画素Ｐｘが表示する階調のレベルも高くなる。つまり、表示期間Ｔ２において、画素Ｐｘに対して最高階調を指定する場合であっても、実際に当該画素Ｐｘが表示する階調は、表示期間Ｔ２に先行する表示期間Ｔ１において画素Ｐｘが表示していた階調の差異に起因するばらつきが生じることになる。すなわち、対比例に係る電気光学装置では、一の表示期間Ｔにおいて画素Ｐｘが表示していた階調が、当該一の表示期間Ｔの次の表示期間Ｔにおいて画素Ｐｘが表示する階調に影響を及ぼし、その結果、表示が不均一となる。
【００５７】
図９は、対比例に係る電気光学装置が備える画素Ｐｘに対して、表示期間Ｔ１の全てのサブフィールド期間ＳＦにおいて、ＳＦコードＣｄ［２５５］に基づいてオンを指定し、且つ、当該表示期間Ｔ１の次の表示期間Ｔである表示期間Ｔ２の全てのサブフィールド期間ＳＦにおいて、ＳＦコードＣｄ［０］に基づいてオフを指定する場合における、当該画素Ｐｘが備える液晶素子ＣＬの透過率の変化を表す説明図である。
【００５８】
図９に示すように、画素Ｐｘに対して、表示期間Ｔ１の全てのサブフィールド期間ＳＦにおいてオンを指定した場合、表示期間Ｔ１の終了時における液晶素子ＣＬ透過率は、１００％または１００％に近い値となる。そのため、表示期間Ｔ１に後続するリセット期間Ｒ２の終了時、すなわち、表示期間Ｔ２の開始時における液晶素子ＣＬの透過率は、０％よりも大きな値となる。なお、図９に示す場合において、表示期間Ｔ２における液晶素子ＣＬの透過率の積分値を表す面積を、符号ＧＢＸで表す。
一方、図示は省略するが、画素Ｐｘに対して、表示期間Ｔ１の全てのサブフィールド期間ＳＦにおいてオフを指定し、且つ、表示期間Ｔ１の次の表示期間Ｔである表示期間Ｔ２においてオフを指定する場合、表示期間Ｔ２の開始時における液晶素子ＣＬの透過率は、０％または０％に近い値となる。そのため、この場合における液晶素子ＣＬの透過率の積分値は、０または０に近い値となる。すなわち、表示期間Ｔ２において、画素Ｐｘに対して最低階調を指定する場合にも、実際に当該画素Ｐｘが表示する階調にばらつきが生じることになる（つまり、画素Ｐｘが黒を表示できない場合が生じる）。
【００５９】
このように、対比例に係る電気光学装置は、一の表示期間Ｔにおいて画素Ｐｘが表示した階調が、当該一の表示期間Ｔの次の表示期間Ｔである他の表示期間Ｔにおいて画素Ｐｘが表示する階調に影響を及ぼす。その結果、画素Ｐｘは、指定された階調と異なる階調を表示し、または、指定された階調と画素Ｐｘが実際に表示する階調との誤差にばらつきが生じることになる。
そこで、本実施形態に係る電気光学装置１は、画素Ｐｘが表示する階調を正確に表示することができるようにするために、ＳＦコードＣｄ［ｋ］を補正した補正ＳＦコードＣｄｘ［ｋ］に基づいて、画像データＤｘ及びデータ信号ＶＤ[ｎ]を生成する。
具体的には、電気光学装置１は、上述のとおり、一の表示期間Ｔの終了時における液晶素子ＣＬの透過率が、値Ａmin以上であり、且つ、値Ａmax以下となるように、ＳＦコードＣｄ［ｋ］を補正することで、補正ＳＦコードＣｄｘ［ｋ］を生成し、生成した補正ＳＦコードＣｄｘ［ｋ］に基づいてデータ信号ＶＤ[ｎ]を生成する。これにより、映像信号Ｄinが、画素Ｐｘが一の表示期間Ｔにおいて表示すべき階調としてどのような階調を指定する場合であっても、当該一の表示期間Ｔの次の表示期間Ｔの開始時における液晶素子ＣＬの初期透過率を所定の範囲に収めることが可能となる。その結果、一の表示期間Ｔにおいて画素Ｐｘが表示していた階調が、当該一の表示期間Ｔの次の表示期間Ｔにおいて画素Ｐｘが表示する階調に影響を及ぼすことを防止し、画素Ｐｘが正確な階調を表示することが可能となる。
【００６０】
表示期間Ｔの終了時における液晶素子ＣＬの透過率の範囲を区画する値Ａmax及び値Ａminは、当該表示期間Ｔの次の表示期間Ｔの開始時における液晶素子ＣＬの初期透過率の許容範囲の最小値である値Ｂmin（「第１の値」の一例）及び最大値である値Ｂmax（「第３の値」の一例）に基づいて決定される。
具体的には、値Ａminは、リセット期間Ｒにおいて画素Ｐｘにオフを指定するデータ信号ＶＤ[ｎ]を供給する場合に、リセット期間Ｒの終了時における液晶素子ＣＬの透過率の値がＢminとなるような、リセット期間Ｒの開始時の液晶素子ＣＬの透過率である。また、値Ａmaxは、リセット期間Ｒの終了時における液晶素子ＣＬの透過率の値がＢmaxとなるような、リセット期間Ｒの開始時の液晶素子ＣＬの透過率である。
【００６１】
図１１は、画素Ｐｘに対して、当該画素Ｐｘをオフさせるデータ信号ＶＤ[ｎ]を供給した場合における、当該画素Ｐｘが備える液晶素子ＣＬの透過率の経時的な変化の一例を表す説明図である。この図に示すグラフにおいて、縦軸は液晶素子ＣＬの透過率を表し、横軸は時間を表す。また、この図に示される折れ線Ｒａ及びＲｂは、リセット期間Ｒに相当する時間長の期間において、画素Ｐｘにオフを指定するデータ信号ＶＤ[ｎ]を画素Ｐｘに供給した場合の、液晶素子ＣＬの透過率の変化を表す。
図１０及び図１１に示す例では、値Ｂminを２％と定め、値Ｂmaxを４％と定めている。そのため、値Ａminは、図１１の折れ線Ｒａで示すように、１０％に決定される。また、値Ａminは、図１１の折れ線Ｒｂで示すように、４９％に決定される。
【００６２】
なお、値Ｂmin及び値Ｂmaxは、少なくとも、値Ｂminが０％よりも大きい値、例えば１％以上の値であるという条件（第１条件）を充足するように定めればよい。この場合、値Ｂmaxは、どのような値であってもよい（つまり、値Ｂmaxは、値Ｂminよりも大きく且つ１００％以下の値であればよい）。また、この場合、値Ａmaxも、どのような値であってもよい（つまり、値Ａmaxは、値Ａminよりも大きく且つ１００％以下の値であればよい）。
値Ｂminを０％よりも大きく（例えば、１％以上に）設定することで、液晶素子ＣＬの透過率が０％である場合のような液晶分子に対して配向規制力が強く働く場合を排除することができ、その結果、液晶素子ＣＬの透過率の立ち上がりの速度が極端に遅い場合を排除することができる。そのため、映像信号Ｄinの指定する階調と画素Ｐｘが実際に表示する階調の間の誤差のばらつきを小さくするとともに、映像信号Ｄinの指定する階調を正確に表示することができる。これにより表示の均一性を確保することができる。
【００６３】
但し、本実施形態では、表示の均一性の程度をより高くするために、前記第１条件に加え、以下に示す第２条件を充足するように、値Ｂmin及び値Ｂmaxを決定する。
すなわち、図１０に示すように、本実施形態では、値Ｂmin及び値Ｂmaxを、表示期間Ｔにおける液晶素子ＣＬの初期透過率が値Ｂminである場合において、液晶素子ＣＬの透過率が所定の透過率（例えば８０％）に至るまでの時間長と、表示期間Ｔにおける液晶素子ＣＬの初期透過率が値Ｂmaxである場合において、液晶素子ＣＬの透過率が前記所定の透過率に至るまでの時間長との差分が、所定の間隔ΔＴｈ以下（例えば、０．１ｍｓ以下）であるという条件（第２条件）を充足するように定める。
図１０に示す例では、これらの第１条件及び第２条件を充足するように、値Ｂminを２％に定め、値Ｂmaxを４％に定めている。そして、これらの値Ｂmin及び値Ｂmaxに基づいて、値Ａminを１０％に定め、値Ａmaxを４９％に定めている。
なお、本実施形態では、値Ｂmin及び値Ｂmaxが第２条件を充足するように定めるが、表示の均一性を確保することができるように予め定められた値であってもよい。この場合、少なくとも、値Ｂminは０．１％以上の値であることが好ましく、値Ｂmaxは２０％以下の値であることが好ましい。
【００６４】
本実施形態に係る電気光学装置１の生成部５３２は、ＳＦコードＣｄ［ｋ］に基づいて画素Ｐｘのオンまたはオフを制御すると、表示期間Ｔの終了時における液晶素子ＣＬの透過率が値Ａminよりも小さくなる場合、または、値Ａmaxよりも大きくなる場合において、ＳＦコードＣｄ［ｋ］に補正を施して、補正ＳＦコードＣｄｘ［ｋ］を生成する。
具体的には、ＳＦコードＣｄ［ｋ］に基づいて画素Ｐｘのオンまたはオフを制御すると、表示期間Ｔの終了時における液晶素子ＣＬの透過率が値Ａmaxよりも大きくなる場合、生成部５３２は、当該ＳＦコードＣｄ［ｋ］がサブフィールド期間ＳＦ［１０］またはＳＦ［９］について指定する値のうち少なくとも一方に値「０」を設定することで、表示期間Ｔの終了時における液晶素子ＣＬの透過率が値Ａmax以下となるように、補正ＳＦコードＣｄｘ［ｋ］を生成する。
また、ＳＦコードＣｄ［ｋ］に基づいて画素Ｐｘのオンまたはオフを制御すると、表示期間Ｔの終了時における液晶素子ＣＬの透過率が値Ａminよりも小さくなる場合、生成部５３２は、当該ＳＦコードＣｄ［ｋ］がサブフィールド期間ＳＦ［１０］またはＳＦ［９］について指定する値のうち少なくとも一方に値「１」を設定することで、表示期間Ｔの終了時における液晶素子ＣＬの透過率が値Ａmin以上となるように、補正ＳＦコードＣｄｘ［ｋ］を生成する。
一方、生成部５３２は、ＳＦコードＣｄ［ｋ］に基づいて画素Ｐｘのオンまたはオフを制御しても、一の表示期間Ｔの終了時における液晶素子ＣＬの透過率が値Ａmin以上で且つ値Ａmax以下となる場合には、ＳＦコードＣｄ［ｋ］に対して補正を施すことなく、当該ＳＦコードＣｄ［ｋ］をそのまま補正ＳＦコードＣｄｘ［ｋ］とする。
なお、生成部５３２は、ＳＦコードＣｄ［ｋ］に対して補正を施すか否かの判断を、記憶部５４等が記憶する設定情報に基づいて判断すればよい。ここで、設定情報とは、ＳＦコードＣｄ［ｋ］と、表示期間Ｔの終了時における液晶素子ＣＬの透過率とを紐づけた情報であってもよいし、ＳＦコードＣｄ［ｋ］と、補正の要否を表すフラグとを紐づけた情報であってもよい。
【００６５】
図１２は、本実施形態に係る電気光学装置１が備える画素Ｐｘの液晶素子ＣＬの透過率の変化を表す説明図である。具体的には、図１２は、画素Ｐｘに対して、補正ＳＦコードＣｄｘ［２５５］に基づいて、表示期間Ｔ２のサブフィールド期間ＳＦ［１］〜ＳＦ［９］においてオンを指定する場合の、当該画素Ｐｘが備える液晶素子ＣＬの透過率の変化を表す。
このうち、図１２（Ａ）は、補正ＳＦコードＣｄｘ［０］に基づいて、表示期間Ｔ２に先行する表示期間Ｔ１のサブフィールド期間ＳＦ［１］〜ＳＦ［９］において、画素Ｐｘにオフを指定し、サブフィールド期間ＳＦ［１０］においてオンを指定していた場合の、表示期間Ｔ２における液晶素子ＣＬの透過率の変化を例示する。
また、図１２（Ｂ）は、補正ＳＦコードＣｄｘ［２５５］に基づいて、表示期間Ｔ２に先行する表示期間Ｔ１のサブフィールド期間ＳＦ［１］〜ＳＦ［９］において、画素Ｐｘにオンを指定し、サブフィールド期間ＳＦ［１０］においてオフを指定していた場合の、表示期間Ｔ２における液晶素子ＣＬの透過率の変化を例示する。
【００６６】
図１２（Ａ）に示す場合及び図１２（Ｂ）に示す場合は、共に、表示期間Ｔ１の終了時における液晶素子ＣＬ透過率は値Ａmin以上で且つ値Ａmax以下となる。そのため、表示期間Ｔ１に後続するリセット期間Ｒ２の終了時、すなわち、表示期間Ｔ２の開始時における液晶素子ＣＬの透過率は、共に、値Ｂmin以上で且つ値Ｂmax以下となる。すなわち、図１２（Ａ）に示す場合液晶素子ＣＬの透過率の立ち上がりの速度、及び、図１２（Ｂ）に示す場合の液晶素子ＣＬの透過率の立ち上がりの速度は、ほぼ一致するものと看做すことができる。
その結果、図１２（Ａ）に示す場合において、表示期間Ｔ２における液晶素子ＣＬの透過率の積分値を表す面積ＧＷ１は、図１２（Ｂ）に示す場合において、表示期間Ｔ２における液晶素子ＣＬの透過率の積分値を表す面積ＧＷ２と、一致するものと看做すことができる。つまり、本実施形態に係る画素Ｐｘに対して最高階調を指定する場合の、表示期間Ｔにおける液晶素子ＣＬの透過率の積分値の最大値（面積ＧＷ２）及び最小値（面積ＧＷ１）の差分は、対比例に係る電気光学装置が備える画素Ｐｘに対して最高階調を指定する場合の液晶素子ＣＬの透過率の積分値の最大値（面積ＧＷ２Ｘ）及び最小値（面積ＧＷ１Ｘ）の差分に比べて、小さい。すなわち、本実施形態によれば、表示期間Ｔ１において、画素Ｐｘに対して最高階調を指定する場合であっても、最低階調を指定する場合であっても、表示期間Ｔ２において当該画素Ｐｘが表示すべき階調を正確に表示することを可能とし、表示の均一性を確保することができる。
【００６７】
図１３は、本実施形態に係る電気光学装置１が備える画素Ｐｘに対して、補正ＳＦコードＣｄｘ［０］に基づいて、表示期間Ｔ２のサブフィールド期間ＳＦ［１］〜ＳＦ［９］においてオフを指定する場合の、当該画素Ｐｘが備える液晶素子ＣＬの透過率の変化を表す。このうち、図１３（Ａ）は、表示期間Ｔ２に先行する表示期間Ｔ１において、補正ＳＦコードＣｄｘ［０］に基づいて、画素Ｐｘのオンまたはオフを制御していた場合の、表示期間Ｔ２における液晶素子ＣＬの透過率の変化を例示する。また、図１３（Ｂ）は、表示期間Ｔ１において、補正ＳＦコードＣｄｘ［２５５］に基づいて、画素Ｐｘにオンまたはオフを制御していた場合の、表示期間Ｔ２における液晶素子ＣＬの透過率の変化を例示する。
【００６８】
図１３（Ａ）に示す場合及び図１３（Ｂ）に示す場合は、共に、表示期間Ｔ１の終了時における液晶素子ＣＬ透過率は値Ａmin以上で且つ値Ａmax以下となり、表示期間Ｔ２の開始時における液晶素子ＣＬの透過率は、共に、値Ｂmin以上で且つ値Ｂmax以下となる。その結果、図１３（Ａ）に示す場合において、表示期間Ｔ２における液晶素子ＣＬの透過率の積分値を表す面積ＧＢ１-１及び面積ＧＢ１-２の合計値は、図１３（Ｂ）に示す場合において、表示期間Ｔ２における液晶素子ＣＬの透過率の積分値を表す面積ＧＢ２-１及び面積ＧＢ２-２の合計値と、一致するものと看做すことができる。つまり、本実施形態に係る画素Ｐｘに対して最低階調を指定する場合の、表示期間Ｔにおける液晶素子ＣＬの透過率の積分値の最大値（面積ＧＢ２-１と面積ＧＢ２-２の合計値）及び最小値（面積ＧＢ１-１と面積ＧＢ１-２の合計値）の差分は、対比例に係る電気光学装置が備える画素Ｐｘに対して最低階調を指定する場合の液晶素子ＣＬの透過率の積分値の最大値（面積ＧＢＸ）及び最小値「０」の差分に比べて、小さい。すなわち、本実施形態は、表示期間Ｔ１において、画素Ｐｘに対して最高階調を指定する場合であっても、最低階調を指定する場合であっても、表示期間Ｔ２において当該画素Ｐｘが表示すべき階調を正確に表示することができ、表示の均一性を確保することができる。
【００６９】
このように、本実施形態では、ＳＦコードＣｄを補正した補正ＳＦコードＣｄｘに基づいて画素Ｐｘのオンまたはオフを制御する。このため、表示期間Ｔの開始時における液晶素子ＣＬの初期透過率を、値Ｂmin以上で且つ値Ｂmax以下の範囲に収めることができ、映像信号Ｄinの指定する階調と画素Ｐｘが実際に表示する階調の間の誤差のばらつきを小さくするとともに、画素Ｐｘが映像信号Ｄinの指定する階調を正確に表示することを可能とする。これにより表示の均一性を確保することができる。
【００７０】
なお、表示の均一性を確保するためには、リセット期間Ｒの時間長を十分に長くとり、表示期間Ｔの開始時における液晶素子ＣＬの初期透過率を、０％または０％に近い値に揃えるという態様も想定することができる。
しかし、表示期間Ｔの開始時における液晶素子ＣＬの初期透過率を０％または０％に近い値に揃える場合には、表示期間Ｔにおける液晶素子ＣＬの透過率の立ち上がりの速度が遅くなる。また、リセット期間Ｒの時間長を長くする場合には、表示期間Ｔの時間長が短くなる。従って、リセット期間Ｒの時間長を長くする態様では、電気光学装置１の表示する画像が全体として暗くなる。
これに対して、本実施形態では、表示期間Ｔの開始時における液晶素子ＣＬの初期透過率を、「０」よりも大きな値Ｂmin以上の値とする。このため、表示期間Ｔにおける液晶素子ＣＬの透過率の立ち上がりの速度を速くすることができ、電気光学装置１の表示する画像を全体として明るくすることができる。
また、本実施形態では、液晶素子ＣＬの初期透過率を０％に揃える場合と比較して、リセット期間Ｒの時間長を短くすることができる。このため、表示期間Ｔの時間長を長くすることが可能となり、その結果、電気光学装置１の動作速度を遅くすることが可能となる。
【００７１】
＜Ｂ．変形例＞  
以上の各形態は多様に変形され得る。具体的な変形の態様を以下に例示する。以下の例示から任意に選択された２以上の態様は、相互に矛盾しない範囲内で適宜に併合され得る。
【００７２】
＜変形例１＞
上述した実施形態において、生成部５３２は、ＳＦコードＣｄ［ｋ］の示す値のうち、サブフィールド期間ＳＦ［９］及びＳＦ［１０］に対応する値を補正することで、補正ＳＦコードＣｄｘ［ｋ］を生成するものであるが、本発明はこのような態様に限定されるものではなく、表示期間Ｔに含まれる複数のサブフィールド期間ＳＦのうち少なくとも１つのサブフィールド期間ＳＦに対応する値を補正することで、補正ＳＦコードＣｄｘ［ｋ］を生成してもよい。
例えば、生成部５３２は、表示期間Ｔに含まれる複数のサブフィールド期間ＳＦのうち最後のサブフィールド期間ＳＦを含む所定数のサブフィールド期間ＳＦに対応する値を補正することで、補正ＳＦコードＣｄｘ［ｋ］を生成してもよい。また、例えば、生成部５３２は、ＳＦコードＣｄ［ｋ］の示す値のうち、表示期間Ｔに含まれる複数のサブフィールド期間ＳＦにおける最後のサブフィールド期間ＳＦに対応する値のみを補正して、補正ＳＦコードＣｄｘ［ｋ］を生成してもよい。
【００７３】
＜変形例２＞
上述した実施形態及び変形例は、表示期間Ｔの開始時における液晶素子ＣＬの初期透過率の許容範囲（値Ｂmin及び値Ｂmax）を、少なくとも第１条件を満たすように定めるものであるが、本発明はこのような態様に限定されるものではなく、上述した第１条件（または、第１条件及び第２条件の双方の条件）に加え、画素Ｐｘが最大階調を表示する場合と最小階調を表示する場合のコントラスト比についての条件である第３条件を充足するものとして定められるものであってもよい。以下、図１４及び図１５を参照しつつ、第３条件に付いて説明する。
【００７４】
図１４は、本発明に係る電気光学装置１の画素Ｐｘが、最大階調を表示する場合と最小階調を表示する場合のコントラスト比を説明するための説明図である。また、図１５は、上述した対比例に係る電気光学装置の画素Ｐｘが、最大階調を表示する場合と最小階調を表示する場合のコントラスト比を説明するための説明図である。図１４及び図１５において、横軸は時間を表し、縦軸は、液晶素子ＣＬの透過率（相対透過率）に加え、液晶素子ＣＬの絶対透過率を表す。
ここで、液晶素子ＣＬの絶対透過率とは、光源から出射される光を観察者が直接（液晶素子ＣＬ等を介さずに）視認する場合の光量を１００％とし、光源から出射される光の全てが遮られる場合の光量を０％としてスケーリングしたものである。液晶素子ＣＬの透過率（相対透過率）が１００％である場合の絶対透過率Ｌａは１００％よりも小さく、液晶素子ＣＬの透過率（相対透過率）が０％である場合の絶対透過率Ｌｂは０％よりも大きい。
【００７５】
図１４に示すように、本発明に係る電気光学装置１の画素Ｐｘが、補正ＳＦコードＣｄｘに基づいて最大階調を表示する場合の表示期間Ｔにおける液晶素子ＣＬの絶対透過率の積分値を表す面積をＡＧＷ１とし、補正ＳＦコードＣｄｘに基づいて最小階調を表示する場合の表示期間Ｔにおける液晶素子ＣＬの絶対透過率の積分値を表す面積をＡＧＢ１とする。また、図１５に示すように、対比例に係る電気光学装置の画素Ｐｘが、ＳＦコードＣｄに基づいて最大階調を表示する場合の表示期間Ｔにおける液晶素子ＣＬの絶対透過率の積分値を表す面積をＡＧＷ２とし、ＳＦコードＣｄに基づいて最小階調を表示する場合の表示期間Ｔにおける液晶素子ＣＬの絶対透過率の積分値を表す面積をＡＧＢ２とする。
この場合、本発明に係る電気光学装置１において、表示期間Ｔの開始時の液晶素子ＣＬの（相対）透過率はＢmin（＞０）以上となるため、このときの絶対透過率はＬｂよりも大きくなる。一方、対比例に係る電気光学装置において、表示期間Ｔの開始時の液晶素子ＣＬの（相対）透過率は「０」とすることができるため、このときの絶対透過率はＬｂと等しくなる。従って、面積ＡＧＢ１は、面積ＡＧＢ２よりも小さくなり、面積ＡＧＷ１は、面積ＡＧＷ２よりも大きくなる。
【００７６】
第３条件は、本発明に係る電気光学装置１の画素Ｐｘが表示しうる階調のコントラスト比「ＡＧＷ１÷ＡＧＢ１」が、対比例に係る電気光学装置の画素Ｐｘが表示しうる階調のコントラスト比「ＡＧＷ２÷ＡＧＢ２」よりも大きくなる、という条件である。
本変形例に係る電気光学装置１は、表示期間Ｔの開始時における液晶素子ＣＬの（相対）透過率の範囲を表す値Ｂmin及び値Ｂmaxを、第３条件が充足されるように定める。このため、本変形例に係る電気光学装置１は、対比例に係る電気光学装置に比べてコントラスト比を大きくすることができ、鮮明な画像を表示することが可能となる。
【００７７】
＜変形例３＞
上述した実施形態及び変形例において、生成部５３２は、ＳＦコードＣｄ［ｋ］に基づいて画素Ｐｘのオンまたはオフを制御すると、表示期間Ｔの終了時における液晶素子ＣＬの透過率が値Ａminよりも小さくなる場合（または、値Ａmaxよりも大きくなる場合）において、ＳＦコードＣｄ［ｋ］に補正を施すが、本発明はこのような態様に限定されるものではなく、ＳＦコードＣｄの示す値に基づいて補正の要否を判断してもよい。
具体的には、ＳＦコードＣｄ［ｋ］の示す値について、表示期間Ｔに含まれる複数のサブフィールド期間ＳＦのうち最後のサブフィールド期間ＳＦを含む連続する所定数のサブフィールド期間ＳＦに対応する値の全てが「１」または「０」である場合に、補正を施すものであってもよい。
例えば、ＳＦコードＣｄ［ｋ］の示す値が全て「０」の場合には、最後のサブフィールド期間ＳＦ対応する値を「１」に補正するものであってもよい。また、ＳＦコードＣｄ［ｋ］の示す値が全て「１」の場合には、最後のサブフィールド期間ＳＦ対応する値を「０」に補正するものであってもよい。
【００７８】
＜変形例４＞
上述した実施形態及び変形例において、記憶部５４は、ＳＦコードＣｄを記憶するが、本発明はこのような態様に限定されるものではなく、記憶部５４は、ＳＦコードＣｄに代えて（または、ＳＦコードＣｄとともに）補正ＳＦコードＣｄｘを記憶するものであってもよい。
この場合、選択部５３１は、映像信号Ｄinに対応する補正ＳＦコードＣｄｘを記憶部５４より選択し、生成部５３２は、選択部５３１が選択した補正ＳＦコードＣｄｘに応じた画像データＤｘを生成するものであればよい。
【００７９】
＜変形例５＞
補正ＳＦコードＣｄｘは、補正ＳＦコードＣｄｘの示す値のうち、表示期間Ｔを構成する複数のサブフィールド期間ＳＦの中の前半のサブフィールド期間ＳＦに対応する値に含まれる「１」及び「０」の値の個数と、後半のサブフィールド期間ＳＦに対応する値に含まれる「１」及び「０」の値の個数と、が等しくなるように定められる（以下、「第４条件」と称する場合がある）ものであってもよい。
この場合、各表示期間Ｔにおいて、画素Ｐｘが正極性のデータ信号ＶＤ[ｎ]を保持している時間長と、負極性のデータ信号ＶＤ[ｎ]を保持している時間長とを均等化することができる。これにより、液晶素子ＣＬに対する直流電圧の印加を抑制することができ、所謂「焼き付き」の発生を防止し、液晶素子ＣＬの劣化を最小限に留めることが可能となる。
なお、上述した実施形態及び変形例１乃至３において、生成部５３２は、第１条件乃至第３条件に加え、第４条件を充足するように、補正ＳＦコードＣｄｘを生成するものであってもよい。
【００８０】
＜変形例６＞
上述した実施形態及び変形例において、走査線駆動回路２２は、各水平走査期間Ｈにおいて、２個の選択パルスＹＳ［ｚ］を時分割で出力するが、本発明はこのような態様に限定されるものではなく、図１６に示すように、水平走査期間Ｈ毎に、１個の選択パルスＹＳ［ｚ］を出力するものであってもよい。この場合、各単位期間Ｕ［ｚ］と、各サブフィールド期間ＳＦ［ｚ］とは一致するものであってもよい。
また、走査線駆動回路２２は、水平走査期間Ｈ毎に、３個以上の選択パルスＹＳ［ｚ］を出力するものであってもよい。この場合、各単位期間Ｕ［ｚ］は、３個以上のサブフィールド期間ＳＦに区分されるものであってもよい。
【００８１】
＜変形例７＞
上述した実施形態及び変形例において、表示期間Ｔは５個の単位期間Ｕに区分され、リセット期間Ｒは２個の単位期間Ｕに区分されるが、本発明はこのような態様に限定されるものではなく、表示期間Ｔ及びリセット期間Ｒはそれぞれ１以上の単位期間Ｕから構成されるものであればよい。
【００８２】
＜変形例８＞
上述した実施形態及び変形例において、表示期間Ｔは、互いに等しい時間長を有する複数のサブフィールド期間ＳＦに区分されるが、本発明はこのような態様に限定されるものではなく、複数のサブフィールド期間ＳＦのうち一部のサブフィールド期間ＳＦが、他のサブフィールド期間ＳＦと異なる時間長を有するように区分されるものであってもよい。
例えば、表示期間Ｔは、第１の時間長を有する複数の第１サブフィールド期間と、前記第１の時間長とは異なる第２の時間長を有する複数の第２サブフィールド期間とに区分されるものであってもよい。また、例えば、表示期間Ｔは、互いに異なる時間長を有する複数のサブフィールド期間ＳＦに区分されるものであってもよい。
【００８３】
＜変形例９＞
上述した実施形態及び変形例において、液晶４３はＶＡ方式であるが、ＴＮ（Twisted Nematic）方式であってもよい。すなわち、電気光学装置１は、画素電極４１及び共通電極４２の間に電圧が印加されていない状態において画素Ｐｘが白表示（液晶素子ＣＬの相対透過率が１００％）となるノーマリーホワイトモードで動作するものであってもよい。
この場合、第１条件は、「値Ｂmin（第１の値）が０％よりも大きい値であること」という内容の代わりに、「値Ｂmax（第３の値）が１００％よりも小さい値（例えば９９％以下の値）であること」という内容を示すものであればよい。
【００８４】
＜Ｃ．応用例＞
以上の各形態に例示した電気光学装置１は、各種の電子機器に利用され得る。図１７から図１９には、電気光学装置１を採用した電子機器の具体的な形態が例示されている。
【００８５】
図１７は、電気光学装置１を適用した投射型表示装置（３板式のプロジェクター）４０００の模式図である。投射型表示装置４０００は、相異なる表示色（赤色，緑色，青色）に対応する３個の電気光学装置１（１R，１G，１B）を含んで構成される。照明光学系４００１は、照明装置（光源）４００２からの出射光のうち赤色成分ｒを電気光学装置１Rに供給し、緑色成分ｇを電気光学装置１Gに供給し、青色成分ｂを電気光学装置１Bに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。観察者は、投射面４００４に投射された画像を立体視用眼鏡６０（図１７では図示省略）で視認する。
【００８６】
図１８は、電気光学装置１を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００８７】
図１９は、電気光学装置１を適用した携帯電話機の斜視図である。携帯電話機３０００は、複数の操作ボタン３００１及びスクロールボタン３００２と、各種の画像を表示する電気光学装置１とを備える。スクロールボタン３００２を操作することによって、電気光学装置１に表示される画面がスクロールされる。
【００８８】
なお、本発明に係る電気光学装置が適用される電子機器としては、図１７から図１９に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００８９】
１……電気光学装置、１０……電気光学パネル、２０……駆動回路、２２……走査線駆動回路、２４……データ線駆動回路、３０……表示部、３２……走査線、３４……データ線、４０……画素回路、５０……制御部、５１……信号生成部、５２……眼鏡制御回路、５３……表示情報生成部、５３１……選択部、５３２……生成部、５４……記憶部、６０……立体視用眼鏡、６２……左眼用シャッター、６４……右眼用シャッター、ＣＬ……液晶素子、Ｐｘ……画素。
【図１】
2015004909.tif 000003
【図２】
2015004909.tif 000004
【図３】
2015004909.tif 000005
【図４】
2015004909.tif 000006
【図５】
2015004909.tif 000007
【図６】
2015004909.tif 000008
【図７】
2015004909.tif 000009
【図８】
2015004909.tif 000010
【図９】
2015004909.tif 000011
【図１０】
2015004909.tif 000012
【図１１】
2015004909.tif 000013
【図１２】
2015004909.tif 000014
【図１３】
2015004909.tif 000015
【図１４】
2015004909.tif 000016
【図１５】
2015004909.tif 000017
【図１６】
2015004909.tif 000018
【図１７】
2015004909.tif 000019
【図１８】
2015004909.tif 000020
【図１９】
2015004909.tif 000021